(57)【要約】      （修正有）【課題】災害時その他の非常時において各種電気製品の円滑な作動確保を担保する非常用電源ユニットを提供する。【解決手段】複数の充電式乾電池２を一体に連結してなる乾電池集合体３と、乾電池集合体の充電器４と、乾電池集合体を電気器具６の電源として脱着自在に接続するための接続具５とを具備する非常用電源ユニット１を基本とし、充電器に太陽光パネル７によって発電した電流、または商用電源からの電流を供給する。乾電池集合体を複数装備するのが好ましい。【選択図】図１
0003195242.tif 000002
【実用新案登録請求の範囲】
【請求項１】
複数の充電式乾電池を一体に連結してなる乾電池集合体と、該乾電池集合体の充電器と、前記乾電池集合体を電気器具の電源として脱着自在に接続するための接続具とを具備することを特徴とする非常用電源ユニット。
【請求項２】
前記充電器に電流を供給するための太陽光パネルを具備した請求項１記載の非常用電源ユニット。
【請求項３】
前記充電器を商用電源から電流を供給可能に構成した請求項１記載の非常用電源ユニット。
【請求項４】
前記乾電池集合体を複数装備した請求項１，２又は３記載の非常用電源ユニット。
【請求項５】
前記充電式乾電池として、ニッケル水素乾電池を使用する請求項１，２，３又は４記載の非常用電源ユニット。
【請求項６】
前記接続具は、前記乾電池集合体の直流電流を交流電流に変換するＤＣ−ＡＣインバータを具備する請求項１，２，３，４又は５記載の非常用電源ユニット。
【請求項７】
前記電気器具が人工呼吸器その他の電源で作動する医療器具である請求項１，２，３，４，５又は６記載の非常用電源ユニット。
【考案の詳細な説明】
【技術分野】
【０００１】
本考案は、災害時その他の非常時において各種電気製品の円滑な作動確保を担保する非常用電源ユニットに関する。
【背景技術】
【０００２】
現代の社会生活や日常生活は電気製品を使用することによって成り立っていると言っても過言ではなく、電気製品の範囲は冷蔵庫，テレビや冷暖房器具といった家電製品から、人工呼吸器や吸引器等の医療器具にいたるまで、あらゆる範囲に及んでいる。当然ながらこれらの電気製品は電力を駆動源として作動するものであり、電源として家庭用や工業用の商用電源を中心として、バッテリ，発電機，電池類等種々のものが提供されている。いかに高い機能を有する電気製品であっても、電源を確保できなければ、機能を発揮することができず、直ちに無用の長物となりはててしまう。電気製品は電源が確保されることを前提としている。
【０００３】
常時は商用電源が安定して確保され、十分な電力が供給されており、電源の確保が注目を集めることはない。しかしながら、地震，台風，大雨，津波等の自然災害や事故その他の人為的災害、更には電力不足によって、商用電源が失われてしまうと直ちに電源が失われ、社会生活や日常生活は麻痺し、危機に瀕することとなる。
【０００４】
そのため、商用電源に加えて、医療機関を初めとする重要施設では自家発電機器が整備され、代替電源としてバッテリや発電機，電池類も提供され、フェイルセーフの体制が整えられている。また、種々の非常用の電気製品も提供されている。例えば、手回し式のダイナモを備えたラジオや、 非常時に自動点灯し、災害発生時における避難誘導に寄与する装置として、バッテリーを内蔵した携帯用照明灯と、携帯用照明灯を装着し得るように外形をＬ字形状とし、かつ、電源コードを接続した照明灯装着体と、照明灯装着体への着脱自在な設置用照明灯とからなる非常用照明装置が提供されている（特許文献１）。
【０００５】
また、個々の電気製品ではなく、非常用電源そのものを災害時に確保するために、太陽電池セルと該太陽電池セルが太陽光にあたって生じた電流を充電する蓄電池とを備えた太陽光発電装置において、蓄電池を収納した本体部に対し、太陽電池セルを装着した蓋部を取り外し可能に設けるとともに、本体部と蓋部はコードで導通可能に設けられ、本体部には、直流電源の出力回路と、出力端子を設けた可搬型太陽光発電装置も提供されている（特許文献２）。
【先行技術文献】
【特許文献】
【０００６】
【特許文献１】特開平０９−２２６０２号公報
【特許文献２】特開平０９−１４７９２３号公報
【考案の概要】
【考案が解決しようとする課題】
【０００７】
しかしながら、前記した電源に関する信頼性は生々しい記憶である東日本大震災（２０１１年３月１１日に発生し東北地方太平洋沖地震とそれに伴って発生した津波、及びその後の余震により引き起こされた大規模地震災害）によって、一夜にして崩壊した。特に医療機関では、人工呼吸器の商用電源が停止し、バッテリで作動させるケースが多発したが、バッテリが消耗した後は、自家発電機器から人工呼吸器への接続やバッテリへの充電が円滑に行われないケースもあったことが報告されている。また、自家発電器の操作担当者が不在の場合には、その起動にも手間取ったことも報告されている。更に、自家発電器が全ての医療機関に装備されているわけでもない。或いは自家発電器そのものが損傷してしまうこともある。特許文献１に示す非常用照明装置は照明だけにしか使用することができず、特許文献２に示す可搬型太陽光発電装置も取り扱いには一定の熟練を要し、又緊急時に充電を始めるのでは、迅速性に大きく欠けることとなる。
【０００８】
非常用電源として求められることは何より緊急時に対応するため、取り扱いのために特別の技能や熟練を必要としないことである。マニュアルで作動方法を確認する必要があるようであれば、緊急時に対応する事が困難である。
【０００９】
そこで、本考案は、災害時その他の非常時において各種電気製品の円滑な作動確保を担保することができ、なにより誰もが簡単に操作することが可能で、緊急時における使い勝手のよい非常用電源ユニットを提供することを目的とする。
【課題を解決するための手段】
【００１０】
本考案者は、電源として最もなじみ深い乾電池に着目し、上記目的を達成するために、複数の充電式乾電池を一体に連結してなる乾電池集合体と、該乾電池集合体の充電器と、前記乾電池集合体を電気器具の電源として脱着自在に接続するための接続具とを具備する非常用電源ユニットを基本として提供する。そして、前記充電器に電流を供給するための太陽光パネルを具備し、前記充電器を商用電源から電流を供給可能に構成するとともに、前記乾電池集合体を複数装備する。
【００１１】
そして、前記充電式乾電池として、ニッケル水素乾電池を使用し、前記接続具は、前記乾電池集合体の直流電流を交流電流に変換するＤＣ−ＡＣインバータを具備する。そして、前記電気器具が人工呼吸器その他の電源で作動する医療器具である構成を提供する。
【考案の効果】
【００１２】
本考案によれば、地震，台風，大雨，津波等の自然災害や事故その他の人為的災害、更には電力不足によって、商用電源や非常用のバッテリが失われて電源を喪失した非常時において、特別の技能や熟練を必要とせず、誰もが簡単に操作することが可能で、緊急時における使い勝手のよい非常用電源ユニットを得ることができる。そして、この非常用電源ユニットを使用することによって、災害時その他の非常時において人工呼吸器や吸引器、更にはテレビや冷暖房器具等の家電製品等の各種電気製品の円滑な作動確保を担保することができる。
【００１３】
複数の充電式乾電池を使用して、非常用電源ユニットの中核をなす乾電池集合体を形成してあるため、乾電池集合体は乾電池と同様に使用することができ、誰もが簡単に操作できるとともにコンパクトで携行性に優れている。そして、乾電池集合体は充電式であるため、繰り返して再利用することが可能である。よって、災害時等の緊急時や非常時に限ることなく、常用電源として使用することもできる。
【００１４】
更に、乾電池集合体の充電を太陽光パネルを使用して行えば、電源の装備されていない国，地域や場所、例えば仮設住宅，避難箇所，災害現場等電源の装備されていない場所においても非常用電源を安定して得ることができる。太陽光パネルは庭先やベランダ等任意の箇所に工事を必要とすることなく、設置できるとともに、持ち運ぶことも可能である。
【図面の簡単な説明】
【００１５】
【図１】本考案にかかる非常用電源ユニットの構成を示す説明図。
【考案を実施するための形態】
【００１６】
以下図面に基づいて本考案にかかる非常用電源ユニットの実施形態を説明する。図１は本考案にかかる非常用電源ユニットの構成を示す説明図である。図において、１は非常用電源ユニットであり、複数の充電式乾電池２を一体に連結してなる乾電池集合体３と、該乾電池集合体３の充電器４と、前記乾電池集合体３を電気器具６の電源として脱着自在に接続するための接続具５から構成されている。
【００１７】
充電式乾電池２は充電可能な乾電池であれば、その種類，サイズ，使用する個数に限定はないが、好ましくは単一のニッケル水素乾電池を３０個〜５０個程度使用するとよい。そして、複数の充電式乾電池２を所定の筐体に収納して、電気的に一体に連結して乾電池集合体３を形成する。この乾電池集合体３は、乾電池としての利便性をそのままに有し、充電可能な１個の乾電池として使用可能であるとともに、収納した複数の充電式乾電池２を集合した電力を有する。なお、充電済みの乾電池集合体３を任意の複数装備しておけば、順次交換して使用することにより継続した電源として使用することができ、非常時への対応がより万全となる。
【００１８】
充電器４は、乾電池集合体３に充電するための必要な機器から構成され、乾電池集合体３に電気的に接続するためのコネクタや各種の電源から供給された交流電流を直流電流に変換するためのＡＣ−ＤＣコンバータ等を装備している。この充電器４を商用電源から電流を供給可能に構成して、常時は商用電源から充電し、又非常時や商用電源が装備されていない場所では図に示すように太陽光パネル７によって発電した電流を供給するとよい。勿論、常時太陽光パネル７から電力を供給するようにしてもよい。なお、８は、太陽光パネル７と充電器４を電気的に接続する脱着自在な接続線、９は充電器４と乾電池集合体３を電気的に接続する脱着自在な接続線である。
【００１９】
充電を完了した乾電池集合体３を各種の電気器具６に接続具５を介して脱着自在に接続することによって、各種の電気器具６の電源として利用する。電気器具６としては、電気で作動する機器であれば限定はなく、特には一瞬たりとも電源が失われてはならず、又長時間安定して電源を供給する必要性のある医療器具、例えば人工呼吸器，吸引器等々の電源として価値を有する。或いは冷蔵庫，テレビや冷暖房器具といった家電製品の電源としても使用することが可能である。そのため、接続具５には、乾電池集合体３や各種の電気器具６と電気的に接続するためのコネクタや乾電池集合体３の直流電流を交流電流に変換するＤＣ−ＡＣインバータを装備している。なお、１０は、乾電池集合体３と接続具５を電気的に接続する脱着自在な接続線、１１は接続具５と各種の電気器具６を電気的に接続する脱着自在な接続線である。
【産業上の利用可能性】
【００２０】
本考案によれば、地震，台風，大雨，津波等の自然災害や事故その他の人為的災害、更には電力不足によって、商用電源や非常用のバッテリが失われて電源を喪失した非常時において、特別の技能や熟練を必要とせず、誰もが簡単に操作することが可能で、緊急時における使い勝手のよい非常用電源ユニットを得ることができる。そして、この非常用電源ユニットを使用することによって、災害時その他の非常時において人工呼吸器や吸引器、更にはテレビや冷暖房器具等の家電製品等の各種電気製品の円滑な作動確保を担保することができる。
【００２１】
複数の充電式乾電池を使用して、非常用電源ユニットの中核をなす乾電池集合体を形成してあるため、乾電池集合体は乾電池と同様に使用することができ、誰もが簡単に操作できるとともにコンパクトで携行性に優れている。そして、乾電池集合体は充電式であるため、繰り返して再利用することが可能である。よって、災害時等の緊急時や非常時に限ることなく、常用電源として使用することもできる。
【００２２】
更に、乾電池集合体の充電を太陽光パネルを使用して行えば、電源の装備されていない国，地域や場所、例えば仮設住宅，避難箇所，災害現場等電源の装備されていない場所においても非常用電源を安定して得ることができる。太陽光パネルは庭先やベランダ等任意の箇所に工事を必要とすることなく、設置できるとともに、持ち運ぶことも可能である。
【符号の説明】
【００２３】
１…非常用電源ユニット
２…充電式乾電池
３…乾電池集合体
４…充電器
５…接続具
６…電気器具
７…太陽光パネル
【図１】
0003195242.tif 000003